(57)【特許請求の範囲】
【請求項１】
内部容積を有する箱であって、第１のパネルの内側表面が第２のパネルの内側表面を向くように、前記箱は前記第１のパネル、前記第１のパネルに対向する前記第２のパネルによって画定され、前記箱はさらに、前記第１のパネルと前記第２のパネルとの間で延びる４つの縁パネルによって画定される前記箱と、
前記４つの縁パネルのうち２つの縁パネルの間における前記箱の第１のコーナーに配置された第１のポケットを備え、
前記第１のポケットは、前記第１のコーナーの前記２つの縁パネルのうちの１つに沿って画定されるリップを含み、
前記第１のポケットは、前記２つの縁パネルのうちの第１の縁パネルから前記２つの縁パネルのうちの第２の縁パネルの内側表面まで延びる傾斜表面を形成する第１のポケットタブを含み、
前記第１のポケットタブは、前記第１のポケットタブの一部が前記第２の縁パネルの内側表面に沿って延び、前記第２の縁パネルの前記リップの少なくとも一部と共に二倍の厚さを形成するように前記第１のポケットタブが折りたたまれるタブ折り部を含み、
前記第１のポケットは、収納設備からパッケージを取り出すために、ユーザの指がその中に挿入されるよう構成され、前記第２の縁パネルは、前記箱を取り出す側に面して配置され、前記第１のポケットタブの前記タブ折り部及び前記第２の縁パネルの前記リップは、収納設備からパッケージを取り出すために、ユーザの指により引き出されるように構成される、パッケージ。
【請求項２】
前記４つの縁パネルは、前縁パネルと、後縁パネルと、上縁パネルと、下縁パネルとを備える、請求項１に記載のパッケージ。
【請求項３】
前記第１のポケットは、さらに、前記傾斜表面に隣接し且つ前記傾斜表面の反対側の第１の側面及び第２の側面によって画定され、前記第１の側面は、前記第１のパネルの前記内側表面上に形成され、前記第２の側面は、前記第２のパネルの前記内側表面上に形成される、請求項１に記載のパッケージ。
【請求項４】
前記第１の縁パネルから前記第２の縁パネルに延びる前記傾斜表面が、前記第１の縁パネルに最も近い前記第２の縁パネルの縁から離れた位置に前記第２の縁パネルの前記内側表面に接触し、それによって前記第１の縁パネルに最も近い前記第２の縁パネルの前記縁と前記遠隔位置との間に延びる前記第２の縁パネル上に前記リップを形成する、請求項３に記載のパッケージ。
【請求項５】
前記第１のポケットの前記第１の側面は、前記第１のパネルの前記内側表面に隣接して配置され、前記第１のポケットの前記第２の側面は前記第２のパネルの前記内側表面に隣接して配置される、請求項３に記載のパッケージ。
【請求項６】
前記箱の第２のコーナーに第２のポケットをさらに備え、前記第２のポケットは、リップを含み、前記第２のポケットは、収納設備から前記パッケージを取り出すために、ユーザの指がその中に挿入されるよう構成される、請求項２に記載のパッケージ。
【請求項７】
前記第１のポケットは前記前縁パネルと前記上縁パネルとの間に形成され、前記第２のポケットは前記前縁パネルと前記下縁パネルとの間に形成される、請求項６に記載のパッケージ。
【請求項８】
前記第１のポケットは、前記上縁パネルから前記前縁パネルの前記内側表面へと延びる第１の表面によって画定され、前記第１の表面は、前記第１のパネルの前記内側表面から前記第２のパネルの前記内側表面に延びる前記傾斜表面を含む、請求項７に記載のパッケージ。
【請求項９】
前記第２のポケットは、前記下縁パネルから前記前縁パネルの前記内側表面へと延びる第２の表面によって画定され、前記第１のパネルの前記内側表面から前記第２のパネルの前記内側表面に延びる、請求項８に記載のパッケージ。
【請求項１０】
前記第１の表面は、前記上縁パネルに最も近い前記前縁パネルの第１の縁から離れた第１の位置で前記前縁パネルと接触し、それによって前記前縁パネルの前記第１の縁と前記第１の位置との間の前記前縁パネル上の前記第１のポケットの前記リップを形成する、請求項９に記載のパッケージ。
【請求項１１】
前記第２の表面は、前記下縁パネルに最も近い前記前縁パネルの第２の縁から離れた第２の位置で前記前縁パネルと接触し、それによって前記前縁パネルの前記第２の縁と前記第２の位置との間の前記前縁パネル上の前記第２のポケットの前記リップを形成する、請求項９に記載のパッケージ。
【請求項１２】
パッケージを形成するための材料の単一のブランクシートであって、
下縁パネルによって互いに連結された第１のパネル及び第２のパネルと、
前記第１のパネルと前記下縁パネルとの間に配置された第１の折目と、
前記下縁パネルと前記第２のパネルとの間に配置された第２の折目と、
第３の折目に沿って前記第１のパネルに連結されている上縁パネルと、
第４の折目に沿って前記第１のパネルに連結されている後縁パネルと、
第５の折目に沿って前記第１のパネルに連結されている前縁パネルと、
第６の折目に沿って前記上縁パネルに連結され、第７の折目に沿って前記第１のパネルに連結されている第１のポケットパネルと、を備え、
前記シートは、前記第１のパネルの内側表面が、前記第２のパネルの内側表面に面し、前記前縁パネル、前記上縁パネル、前記後縁パネル及び前記下縁パネルのそれぞれが、前記第１のパネルと前記第２のパネルとの間に延び、前記第１のポケットパネルは、前記第１のパネルの前記内側表面と前記第２のパネルの前記内側表面との間で折りたたまれ、前記上縁パネルに隣接した前記前縁パネルの一部によって画定された第１のリップで第１のポケットを形成するように、構成され、
前記第１のポケットパネルは、第１のポケットタブを含み、
前記第１のポケットタブは、前記上縁パネルから前記前縁パネルの内側表面まで傾斜表面を形成するように、前記第６の折目に沿って折りたたまれるように構成された第１の部分と、前記前縁パネルの前記第１のリップの少なくとも一部と共に二倍の厚さを形成するように、前記前縁パネルの内側表面に沿って前記上縁パネルに戻る向き且つ前記第１のリップと平行に延びる第２の部分とを備え、
前記前縁パネルは、前記パッケージを取り出す側に面して配置され、前記第１のポケットタブの前記第２の部分及び前記前縁パネルの前記第１のリップは、収納設備から前記パッケージを取り出すために、ユーザの指により引き出されるように構成される、前記ブランクシート。
【請求項１３】
第８の折目に沿って前記下縁パネルに、第９の折目に沿って前記第１のパネルに、第１０の折目に沿って前記第２のパネルに連結された第２のポケットパネルをさらに備え、
前記シートは、前記シートが前記折目に沿って折りたたむときに、前記第２のポケットパネルが前記第１のパネルの前記内側表面と前記第２のパネルの前記内側表面との間で折りたたまれ、前記下縁パネルに隣接した前記前縁パネルの一部によって画定された第２のリップで第２のポケットを形成するように、さらに構成された、請求項１２に記載のブランクシート。
【請求項１４】
第１１の折目に沿って前記上縁パネルに連結された第１のタブをさらに備え、
前記シートは、前記シートが前記折目に沿って折りたたむときに、前記第１のタブが前記第２のパネルの前記内側表面に沿って延びそこへ取り付けられるよう構成された、請求項１３に記載の材料のブランクシート。
【請求項１５】
第１２の折目に沿って前記後縁パネルに連結された第２のタブをさらに備え、前記シートは、前記シートが前記折目に沿って折りたたむときに前記第２のタブが前記第２のパネルの前記内側表面に沿って延びるようにさらに構成された、請求項１４に記載の材料のブランクシート。
【請求項１６】
第１３の折目に沿って前記前縁パネルに連結された第３のタブをさらに備え、前記シートは、前記シートが前記折目に沿って折りたたむときに前記第３のタブが前記第２のパネルの前記内側表面に沿って延びるようにさらに構成された、請求項１５に記載の材料のブランクシート。
【発明の詳細な説明】
【技術分野】
【０００１】
関連出願に対する相互参照
本願は、２０１４年３月６日付出願の米国特許出願第２９／４８４，１４２号、第２９／４８４，１４３号及び第２９／４８４，１４５号の一部継続出願であり、そのそれぞれは全体としてここに、参照により組み込まれている。
【０００２】
本実施形態は、医療器具用のパッケージに関し、特に、棚からパッケージを取り出しやすくするためのコーナーポケットを含むパッケージに関する。
【背景技術】
【０００３】
医療器具用パッケージのようなパッケージは、多くの場合、棚のある設備またはその他の収納設備に並べてまたは互いの上部に積み重ねられる。空間を最大化するために、棚と棚との間の高さは多くの場合、パッケージの高さとほぼ同じ寸法である。さらに、パッケージは多くの場合、棚のある設備の単位ごとの長さごとに収納されることが可能なパッケージの数を最大化するために、きっちりと詰められ、または隣と束ねられている。棚のある設備にパッケージがきっちり詰めて入れられるため、そのまとまりから特定のパッケージを取り出すのは困難な場合がある。
【発明の概要】
【発明が解決しようとする課題】
【０００４】
したがって、棚のある設備に押し込まれたパッケージのうち、選択されたパッケージを容易に取り出すことを可能にする特徴を含むパッケージが望ましいであろう。
【課題を解決するための手段】
【０００５】
本実施形態は、内部容積を有する箱と、箱の第１のコーナーに配置された第１のポケットを含むパッケージに関する。第１のポケットは、収納設備からパッケージを取り出すために、ユーザの指がその中に挿入されるよう構成されたリップを含む。箱は第１のパネル、第１のパネルの内側表面が第２のパネルの内側表面に面するような第１のパネルに対向する第２のパネル、それぞれが第１のパネルと第２のパネルとの間に延びる上縁パネル、下縁パネル、前縁パネル及び後縁パネルによって画定され得る。第１のポケットは、上縁パネルから前縁パネルへと延びる第１の表面、第１のパネルの内側表面、第２のパネルの内側表面及び前縁パネルの内側表面によって画定され得る。第１のポケットの第１のリップは、上縁パネルに最も近い前縁パネルの第１の縁から離れた第１の位置で前縁パネルと接触する第１の表面によって形成され、それによって前縁パネルの第１の縁と第１の位置との間の前縁パネル上の第１のリップを形成し得る。パッケージはまた、箱の第２のコーナーに配置された第２のポケットを含み得る。
【０００６】
本実施形態はまた、パッケージを製造するための材料の単一のブランクシートにも関する。このシートは、下縁パネルによって互いに連結された第１のパネルと及び第２のパネル、第１のパネルと下縁パネルとの間に配置された折目と、下縁パネルと第２のパネルとの間に配置された別の第２の折目を含む。上縁パネルは別の折目に沿って第１の縁パネルに連結されている。後縁パネルは別の折目に沿って第１のパネルに連結されている。前縁パネルは別の折目に沿って第１のパネルに連結されている。第１のポケットパネルは、別の折目に沿って前縁パネルに、及び別の折目に沿って第１のパネルに連結されている。シートは、第１のパネルの内側表面が第２のパネルの内側表面に面するように、それぞれが第１のパネルと第２のパネルとの間に延びる前縁パネル、上縁パネル、後縁パネル及び前縁パネルに面するように折目に沿って折りたたむように構成され、第１のポケットパネルは、第１のパネルの内側表面と第２のパネルの内側表面との間で折りたたみ、上縁パネルに隣接した前縁パネルの一部によって画定された第１のリップで第１のポケットを形成するように構成されている。
【０００７】
シートはまた、シートが折目に沿って折りたたむときに、第２のポケットパネルが第１のパネルの内側表面と第２のパネルの内側表面との間で折りたたんで下縁パネルに隣接した前縁パネルの一部によって画定された第２のリップで第２のポケットを形成するように、第１のパネルの下縁パネルに連結された第２のポケットパネルと、折目に沿った第２のパネルと、を含み得る。
【０００８】
シートはまた、シートが折目に沿って折りたたまれるときにタブが第２のパネルの内側表面に沿って延びるように、対応する折目に沿った上縁パネル、後縁パネル及び前縁パネルに連結されたタブを含み得る。
【０００９】
本発明の前述の及び他の特徴及び利点は、以下の付随する図面に示される本発明の実施態様の説明から明らかとなるであろう。本明細書に組み込まれ、その一部を形成する添付図面は本発明の原理を説明し、当業者が本発明を理解するのに役立つ。図面は縮尺にしたがっていない。
【図面の簡単な説明】
【００１０】
【図１】本発明の実施形態によるパッケージの概略的透視図である。
【図２】図１のパッケージのコーナーポケットの拡大図である。
【図３】視点を変えた図２のコーナーポケットの図である。
【図４】図１のパッケージの別のコーナーポケットの拡大図である。
【図５】視点を変えた図４のコーナーポケットの図である。
【図６】厚紙のような、図１から図５のパッケージを作るために使用される層状物質のブランクシートを示す。
【図７】図３のコーナーポケットを形成する工程の概略図である。
【図８】図３のコーナーポケットを形成する別の工程の概略図である。
【図９】図３のコーナーポケットを形成する別の工程の概略図である。
【図１０】従来のパッケージに隣接した図１のパッケージの図である。
【図１１】単一のポケットのみを備える図１のパッケージの棚のある設備からの出し入れを示す。
【図１２】単一のポケットのみを備える図１のパッケージの棚のある設備からの出し入れを示す。
【図１３】単一のポケットのみを備える図１のパッケージの棚のある設備からの出し入れを示す。
【図１４】水平に積み重ねた棚のある設備上のパッケージを有する、単一のポケットのみを備える図１のパッケージを棚のある設備からの出し入れを示す。
【図１５】水平に積み重ねた棚のある設備上のパッケージを有する、単一のポケットのみを備える図１のパッケージを棚のある設備からの出し入れを示す。
【発明を実施するための形態】
【００１１】
本発明の特定の実施形態がここで図面を参照して記載され、類似の参照番号は同一または機能的に類似した要素を示す。
【００１２】
以下の詳細な説明は、本質的に例示であるに過ぎず、本発明または本発明の適用及びおよび使用を制限することを意図しない。本発明の記載は医療器具用のパッケージのコンテキスト内にあるが、本発明はまたその他の製品用のパッケージにも使用され得る。さらに、先の技術分野、背景技術、短い要約、または以下の詳細な説明において提示される、明示されるかまたは示唆される理論によって拘束されることを意図しない。
【００１３】
図１〜図１０は、本発明の実施形態による容器、カートンまたはパッケージ１００の実施形態を示す。パッケージ１００は医療器具のような製品を包装するために好適な任意の材料で作られ得る。例えば、限定するものではないが、パッケージ１００は固形漂白硫酸カートン、厚紙及びその他の類似の材料で作られ得る。図１にて示すように、パッケージ１００は、全体的に内部容積のある箱状であり、第１のコーナーポケット１２０と第２のコーナーポケット１４０を含む。第１及び第２のコーナーポケット１２０、１４０は、指ポケットであり、これによりユーザは容易にパッケージ１００を棚またはその他の収納設備から取出し得る。さらに、２つ（２）のコーナーポケットが示され本明細書に記載されているが、１つのみのコーナーポケットを備えるパッケージ、または２つ（２）より多いコーナーポケットが利用され得ると理解している。
【００１４】
パッケージ１００は、第１のまたは左のパネル１０２と、第２のまたは右のパネル１０４と、前縁パネル１０６と、後縁パネル１０８と、上縁パネル１１０と、下縁パネル１１２とを含む。「左」、「右」、「前」、「後」、「最上」及び「底面」のような方向の記載がパッケージ１００のパネルを説明するために使用されているものの、前縁パネル１０６を外側に向けて棚の上に、及びユーザが前縁パネル１０６に面して配置され得るため、これらの説明は単に、パッケージ１００を説明するために参照として使用されている。しかしながら、これらの方向についての説明はその他の空間における方向に向けられ得るためパッケージ１００に限定しない。
【００１５】
第１のコーナーポケット１２０は、前縁パネル１０６と上縁パネル１１０との間の面取りされたコーナーとして形成されている。第１のコーナーポケット１２０は、ポケットを形成するための深さを含むため、単なる面取りされたコーナーではない。図１〜図３に見ることができるように、第１のコーナーポケット１２０はリップ１２２、第１の側面１２４、第２の側面１２６、傾斜表面１２８を含む。リップ１２２は、前縁パネル１０６の上縁１２３から離れた位置の前縁パネル１０６に接触する傾斜表面１２８によって形成される。
【００１６】
同様に、第２のコーナーポケット１４０は、前縁パネル１０６と下縁パネル１１２との間の面取りされたコーナーとして形成されている。第１のコーナーポケット１２０と同様に、第２のコーナーポケット１４０はポケットを形成するために深さを有する。図１及び図４〜図５に見ることができるように、第２のコーナーポケット１４０はリップ１４２、第１の側面１４４、第２の側面１４６、傾斜表面１４８を含む。リップ１４２は、前縁パネル１０６の下縁１４３から離れた位置の前縁パネル１０６に接触する傾斜表面１４８によって形成される。
【００１７】
図６は、固形漂白硫酸カートン、厚紙、及びその他の類似の材料のような、図１〜図５のパッケージを作るために使用される層状物質１８０のブランクシートを示す。図６は、図１〜図５に関して上述したパネル及び表面及び物質１８０のブランクシートはパッケージ１００を形成するために後述のように折りたたまれる折目を示す。図６に示されている後述のように左パネル１０２及び右パネル１０４は、その外側または外側表面と考えられている。したがって、後述する記載の折る方向は、図６に示された表面がパッケージ１００の外側または外側表面となる。折目は、図６に示された表面がパッケージ１００の内側または内側表面となるように、反対方向に等しくあることができる。
【００１８】
特に、シート１８０は、左パネル１０２及び下縁パネル１１２が互いにほぼ直交するように、左パネル１０２と下縁パネル１１２との間の折目１１３に沿って約９０度に折りたたまれる。シート１８０はまた、下縁パネル１１２及び右パネル１０４が互いにほぼ直交するように、下縁パネル１１２と右パネル１０４との間の折目１１５に沿って約９０度に折りたたまれる。前述したように、折目１１３及び折目１１５に沿った折り畳みシート１８０は、おおよそ下縁表面１１２の幅に互いに分離して、左パネル１０２の内側表面を右パネル１０４の内側表面に向けさせる。本明細書で使用する場合、「約９０度」という用語は、本明細書で記載されるパネルは略箱の形状を成しており、折り畳みシート１８０から形成されるパッケージがこのような箱を形成するならば、９０度からわずかに変動してもよい。
【００１９】
シート１８０はまた、後縁パネル１０８が左パネル１０２から右パネル１０４に向かって延びるように、左パネル１０２と後縁パネル１０８との間の折目１０７に沿って約９０度に折りたたまれる。シート１８０はまた、後縁パネル１０８とタブ１１８との間の折目１０５に沿って折りたたまれる。右パネル１０２及び左パネル１０４は互いに向かって折りたたまれるため、タブ１１８は、タブ１１８がコーナータブ１７４とコーナータブ１７６との間の右パネル１０４の内側表面に沿って延びるように、右パネル１０４の後縁１７２の中に押し込まれる。
【００２０】
同様に、シート１８０はまた、上縁パネル１１０が左パネル１０２から右パネル１０４に向かって延びるように、左パネル１０２と上縁パネル１１０との間の折目１０９に沿って約９０度に折りたたまれる。シート１８０はまた、上縁パネル１１０とタブ１１６との間の折目１１１に沿って折りたたまれる。左パネル１０２及び右パネル１０４は互いに向かって折りたたまれるため、タブ１１６は、タブ１１６が、折目１３６と関連するコーナー１７６と第１のポケット１２０との間の右パネル１０４の内側表面に沿って延びるように、右パネル１０４の上縁１１７の中に押し込まれる。タブ１１６は右パネル１０４の内側表面に取り付けられている。タブ１１６は、右パネル１０４の内側表面に接着して取り付けられるか、またはその他の方法で取り付けられ得る。右パネル１０４の内側表面にタブ１１６を接着して取り付けるために使用される接着剤は、任意の接着剤であり得る。例えば、限定するものではないが、Ｔｈｅ  Ａｄｈｅｓｉｖｅ  Ｐｒｏｄｕｃｔｓ  Ｉｎｃ．から入手可能な接着剤製品番号２１７１または２１７４が利用され得る。
【００２１】
シート１８０はまた、前縁パネル１０６が左パネル１０２から右パネル１０４に向かって延びるように、左パネル１０２と前縁パネル１０６との間の折目１０３に沿って約９０度に折りたたまれる。シート１８０はまた、前縁パネル１０６とタブ１１４との間の折目１０１に沿って折りたたまれる。左パネル１０２及び右パネル１０４は互いに向かって折りたたまれるため、タブ１１４は、タブ１１４が、折目１３６と関連する第１のポケット１２０と折目１５６と関連する第２のポケット１４０との間の右パネル１０４の内側表面に沿って延びるように、右パネル１０４の上縁１７８の中に押し込まれる。さらに、ポケット１２０及びポケット１４０は上述し、以下により詳細に記載しているように、折りたたまれたシート１８０として形成されている。
【００２２】
特に、図７〜図９は形成されたポケット１４０を示す。ポケット１４０が示されているが、ポケット１２０は類似の方法で形成されている。図７に示すように、左パネル１０２及び右パネル１０４は互いに向かって折りたたまれる際に（または後に）、タブ１５２は下縁パネル１１２を備える平面から取り出され、折目１５６に沿って折り曲げられ、下縁パネル１１２に対してαの角度で延びる傾斜表面１４８を形成する。角度αは、図８に記載したように３０〜６０度の範囲であり得る。シート１８０はまた、第２の側面１４６と前パネル１０２との間の折目１４７に沿って、及び第１の側面１４４と後面パネル１０４との間の折目１４９に沿って折りたたむ。
【００２３】
図８〜図９に示すように、第２のポケット１４０が第２の側面１４６と傾斜表面１４８との間の折目１５４に沿って折りたたまれるように、また、第２の側面１４６が左パネル１０２の内側表面に対して押されるように、タブ１５２はパッケージ１００の内部容積に向かって押される。同様に、第１の側面１４４が、右パネル１０４の内側表面に対して押されるように、第２のポケット１４０は第１の側面１４４と傾斜表面１４８との間の折目１５０に沿って折りたたむ。タブ１５２は折目１５８に沿って折りたたまれ、前縁パネル１０６の内側表面に沿って第１のポケット１２０に向かって延び得る。あるいは、タブ１５２は折目１５８に沿って反対方向に折りたたまれ、リップ１４２の第２ポケット１４０の前縁の少なくとも一部のために前縁パネル１０６とともに二倍の厚さになり得る。
【００２４】
第１のポケット１２０は第２のポケット１４０に関して上述したように類似の方法で形成される。したがって、図６に示されたシート１８０は、上縁パネル１１０と傾斜表面１２８との間の折目１３６、第１のポケット１２０の第１の側面１２４とタブ１１６との間の折目１２７、第２の側面１２６と前パネル１０２との間の折目１２９、傾斜表面１２８と第１の側面１２４との間の折目１３０、傾斜表面１２８と第２の側面１２６との間の折目１３４、傾斜表面１４８とタブ１３２との間の折目１３８を含む。
【００２５】
次に、前縁パネル１０６は、前縁パネル１０６が右パネル１０４に向かって延び、タブ１１４が右パネル１０４の前縁１７８の内側に押し込まれるように、折目１０３に沿って折りたたまれる。第１のポケット１２０に隣接するタブ１１４の一部は、ポケット１２０の第１の側面１２４の一部と右パネル１０４の内側表面との間に押し込まれる。同様に、第２のポケット１４０に隣接するタブ１１４の一部は、第２のポケット１４０の第１の側面１４４の一部と右パネル１０４の内側表面との間に押し込まれる。
【００２６】
図１０は従来のパッケージに隣接した２つのパッケージ１００を示す。図１１は、２つのポケットの代わりに単一のポケット１２０を備え、従来のパッケージに隣接して棚の上に配置されたパッケージ１００を示す。図１１に見ることができるように、掴むために表面に近づいたり引き出したりするときに困難なため、詰められ、またはいっぱいになった棚から従来のパッケージを取り出すことは困難な場合がある。従来のパッケージの大きなパネル（すなわち、左及び右パネル）は隣接するパッケージによって邪魔されている。上面及び底面パネルは棚によって邪魔されている。一方、本願によるパッケージは、図１２〜図１３に示されているように、ユーザが指をポケット１２０に挿入し、棚のある設備からパッケージ１００をスライドし傾けることができる。同様に、図１４〜図１５にて示すように、パッケージは水平に積み重ねられると、ユーザはポケット１２０に近づくことができ、容易にパッケージ１００を棚から取り出すことができる。
【００２７】
本発明による様々な実施形態が上記に説明されてきたが、それらは説明として表され、例のためのみであり、制限するものではないと理解すべきである。形状及び詳細における様々な変更は、本発明の精神及び範囲から逸脱することなしになされ得ることは、関連する技術における当業者に明白であろう。したがって、本発明の幅及び範囲は、上述した例示的な実施形態のいかなるものによっても制限すべきでなく、しかしながら添付の特許請求の範囲及びそれらの等価物によってのみ定義されるべきである。本明細書に記載されたそれぞれの実施形態のそれぞれの特徴及び本明細書に引用されたそれぞれの参照は、また、任意のその他の実施形態の特徴と組み合わされて使用され得ると理解されよう。
【図１】
0006630294.tif 000002
【図２】
0006630294.tif 000003
【図３】
0006630294.tif 000004
【図４】
0006630294.tif 000005
【図５】
0006630294.tif 000006
【図６】
0006630294.tif 000007
【図７】
0006630294.tif 000008
【図８】
0006630294.tif 000009
【図９】
0006630294.tif 000010
【図１０】
0006630294.tif 000011
【図１１】
0006630294.tif 000012
【図１２】
0006630294.tif 000013
【図１３】
0006630294.tif 000014
【図１４】
0006630294.tif 000015
【図１５】
0006630294.tif 000016